(57)【特許請求の範囲】
【請求項１】
ヒール部分（２２）及びノーズ部（２４）を備えたリフレクタ（１２）を含み、前記リフレクタ内に配置された光源（１４）と、前記光源に接続された一対のリード線（４０）と、その各々がフランジ状部分（５４）を有する、前記ノーズ部の開口（３２）を貫通して突出する一対のアイレット（５０）と、前記リフレクタのヒール部分内に配置された位置決め部材（１６）とをさらに含むランプ（１０）を製造する方法であって、
前記位置決め部材の開口（４２）内に光源（１４）を位置決めする段階と、
前記アイレット（５０）の一部分が前記ノーズ部の外側面から延び出るように、該アイレット（５０）を前記ノーズ部の開口（３２）内に挿入する段階と、
前記アイレットが前記ノーズ部の開口内に固定されるように該アイレット（５０）を変形させる段階と、
少なくとも１つのリード線が前記アイレットを貫通して突出するように、前記リフレクタ（１２）内に光源（１４）及び位置決め部材（１６）を挿入する段階と、
前記リード線に張力を掛けずに前記アイレット（５０）をかしめて該リード線をアイレットに機械的に固締する段階と、
を含む方法。
【請求項２】
前記位置決めする段階が、前記開口の両側に設置されたタブ（４２）が前記光源に係合するように、該光源を位置決めする段階をさらに含む、請求項１記載の方法。
【請求項３】
前記アイレットを挿入する段階が、前記リフレクタ内側から前記ノーズ部の開口内にアイレットを挿入する段階をさらに含む、請求項１記載の方法。
【請求項４】
前記アイレットを変形させる段階が、アイレットが前記ノーズ部内の開口に係合するように、該アイレットを据込む（５６）段階をさらに含む、請求項１記載の方法。
【請求項５】
前記アイレットを変形させる段階が、アイレットが３つの互いに垂直な軸線内に固定されるように、該アイレットを変形させる段階をさらに含む、請求項１記載の方法。
【請求項６】
ランプ口金内に前記ヒールを挿入する段階と、前記リード線の少なくとも１つを前記ランプ口金にろう付けする段階とをさらに含む、請求項５記載の方法。
【請求項７】
リフレクタハウジング（１２）と、
前記リフレクタハウジング内に配置された光源（１４）と、
前記光源から延びる一対のリード線（４０）と、
開口（４２）を備え、該開口内に前記光源を受けるようになった位置決め部材（１６）と、を含み、
前記位置決め部材が、前記リフレクタハウジング内に受けられて該リフレクタハウジング内で前記光源を軸方向に整列させるようになっており、
前記ハウジング内にショルダ部（２８）を配置し、前記位置決め部材が前記ショルダ部上に載置されて、該ショルダ部がリフレクタハウジング内で前記光源を垂直方向に整列させるようになっており、
前記リフレクタハウジングがノーズ部（２４）を含みまた前記ショルダ部がノーズ部から上向きに延びて、前記位置決め部材及び光源の重量よりも大きい力が該位置決め部材によってショルダ部に加えられることがない状態で、該位置決め部材（１６）が、リフレクタハウジング内で前記光源（１４）を整列させるようになっている、
ランプ（１０）。
【請求項８】
前記リフレクタハウジングが、開口（３２）を含みかつ該リフレクタハウジングの開口を貫通して突出するアイレット（５０）をさらに含み、前記アイレットが、前記開口の各側面から延び出た部分を含む、請求項７記載のランプ。
【請求項９】
前記アイレット（５０）が、前記リフレクタハウジングの第１の側面に載置されたフランジ（５４）と前記リフレクタハウジングの第２の側面に係合した据込み部分（５６）とを含む、請求項８記載のランプ。
【発明の詳細な説明】
【技術分野】
【０００１】
本発明は、電灯に関する。より具体的には、本発明は、ランプのフィラメントがリフレクタの焦点に整列した電灯に関する。
【背景技術】
【０００２】
ＰＡＲ型ランプは、光源のフィラメントコイルがランプのリフレクタの焦点に対して公知の位置にあるときに、最も効率的に作動する。リフレクタ（又はリフレクタハウジング）に対して光源の位置、従ってフィラメントの位置を固定するための公知の方法は、絶縁スペーサ及びセラミック接着剤を用いることを含む。この組立て法は、作業依存性が強く、光源のピンチ端部への接合剤の移着及び遮熱シールドの設置位置不良によりフィラメント管の信頼性の問題を生じ、このことが熱サイクル酸化故障の原因となる可能性がある。所望のビームパターン、中心ビーム強度及びルーメン出力からの狂いのような品質問題もまた、この種の固定システムには通常のことである可能性がある。
【０００３】
光源の位置を固定する別の方法は、金属アイレットと共に金属ディスクを使用する。この方法では、ランプを組立てるために、突出部の端縁と係合した状態で配置された位置決め部材の開口内に、光源を挿入する。その後、位置決め部材に力を加えて、後方に僅かに変形させるようにする。位置決め部材に力を加えた後に、次に一対のアイレットをリード線に機械的に固締し、このリード線により位置決め部材の変形を保つようにする。ある期間が経過した後には、組立体が「弛む」ので、力が位置決め部材上に残ることになる。
【０００４】
さらに別の方法は、リフレクタハウジングの基部に緊密にかしめられた２つの金属アイレットを使用する。この方法は、ガラスリフレクタの基部内の開口の僅かな変動及び状態に大きく左右される。さらに、光源をリフレクタハウジング内に配置するのを可能にするための位置決め部材は、全く設けられない。従って、光源のフィラメントコイルをリフレクタの焦点に対して公知の位置に固定するのは難しい。
【特許文献１】米国特許第６１４７４４４号
【発明の開示】
【課題を解決するための手段】
【０００５】
ランプは、リフレクタと、光源と、位置決め部材と、第１及び第２のアイレットとを含む。リフレクタは、反射部分と、ヒール部分と、それを貫通する開口を備えたノーズ部とを含む。光源及び位置決め部材は、リフレクタ内の所望の位置に配置される。位置決め部材は、光源を受ける開口を含む。一対のリード線が、それらがそれぞれのアイレット内に受けられるように光源から延びる。アイレットは、リフレクタのノーズ部の開口を貫通して突出する。
【０００６】
リフレクタと、リフレクタ内に配置された光源と、光源に接続された一対のリード線と、リフレクタのノーズ部の開口を貫通して突出するアイレットと、リフレクタのヒール部分内に配置された位置決め部材とを含むランプを製造する方法を提供する。本方法は、位置決め部材の開口内に光源の一部分を配置する段階を含む。本方法はさらに、アイレットの一部分がノーズ部の各側面から延び出るように、該アイレットをノーズ部の開口内に挿入する段階を含む。本方法はさらに、アイレットがノーズ部の開口内に固定されるように、該アイレットを変形させる段階を含む。本方法はまた、少なくとも１つのリード線がアイレットを貫通して突出するように、リフレクタ内に光源を挿入する段階を含む。
【発明を実施するための最良の形態】
【０００７】
図１を参照すると、ランプすなわち電灯１０は、リフレクタハウジング１２と、光源１４と、位置決め部材１６とを含む。この好ましい構成におけるランプは、従来型のハロゲンＰＡＲ型ランプを含む。これに代えて、ランプは、従来型の白熱灯及び他の従来型のランプとすることもできる。
【０００８】
リフレクタハウジング１２は、ガラスで作られており、光源１４のためのエンクロージャを形成する。リフレクタハウジングは、反射皮膜で被覆される。リフレクタハウジングは、少なくともその内側面に沿って、好ましくはアルミニウム層のような高反射材料である反射部分１８を含むが、本発明の技術的範囲及び意図から逸脱することなくダイクロイック材料のような他の反射面を用いることもできる。反射部分１８は、一般的には凹面又は放物面形状を有しているが、リフレクタハウジングは、楕円面或いは他の公知の形状又は形状の組み合わせのような異なる輪郭又は形状を採用することもできると考えられる。リフレクタハウジングはさらに、ヒール部分２２及びノーズ部２４を含む。ヒール部分２２は、反射部分１８の中央部分から軸方向に外向きに垂下し、ほぼ円筒形状の構成を有する。ノーズ部２４は、円形であり、ヒール部分２２から延びかつ該ヒール部分２２を閉鎖する。レンズカバー２６が、ハウジングの外周に沿ってリフレクタハウジング１２を密閉する。
【０００９】
ヒール部分２２は、１つの実施例に過ぎないが、エジソン口金のようなランプ口金（図示せず）に取付けられる。このような構成の詳細は、当技術分野では公知であるので、本明細書ではこれ以上の説明は必要ない。ヒール部分２２は、該ヒール部分２２の内側に配置された複数の半径方向ショルダ部２８を含む。４つのショルダ部が、互いに９０度離して設けられるが、これより少ない数またはより多い数のショルダ部を設けることも可能である。ショルダ部２８は、ノーズ部２４の上方に位置決め部材１６を支持する。ショルダ部は、ノーズ部の上方に所定の高さだけ延びて、リフレクタハウジング１２の反射部分１８の焦点に対して適当な垂直方向関係に光源１４のフィラメント３０を位置決めする。ショルダ部２８は、位置決め部材１６と共に、反射部分の焦点に対して軸方向及び直径方向にフィラメントを位置決めする。
【００１０】
ノーズ部２４は、軸方向に延びる開口３２を含む。開口３２は、該開口がランプの内部空洞と連通するノーズ部内側面からノーズ部２４外側面の段付き領域又は座ぐり領域３８に向かって進む。別の実施形態では、開口３２にはテーパを付けることができる。光源１４は、フィラメント３０と、光透過性エンクロージャ又はバルブ３４と、クリンプ端部３６とを含む。光源は、従来型の白熱光源にすることができるが、タングステンハロゲン光源又はアーク放電光源とすることもできる。リード線４０は、光源１４から延びて、エジソン口金又は他の形式の口金（図示せず）に取付けられる。
【００１１】
前に述べたように、位置決め部材１６は、１つ又は複数の半径方向ショルダ部２８上に載置さる。ショルダ部寸法及び位置決め部材の外径寸法（直径）は、位置決め部材をヒール部分２２の内側にすなわちリフレクタハウジングに対して正確に設置するように緊密に一致している。このことが、以下の説明からより明らかになるように、次にリフレクタハウジングの焦点に対して光源を正確に設置することを保証する。位置決め部材は、アルミニウムで作られるのが好ましいが、別の実施形態では、位置決め部材は、通常は金属である別の適当な材料で作ることができる。位置決め部材１６は、リフレクタハウジング内に挿入されたときに張力が掛かった状態にする必要はないので、位置決め部材１６は、アルミニウムで作ることができる。アルミニウム製位置決め部材１６は、曇るのを防ぎ、放射エネルギーの反射を可能にし、従って付加的な遮熱機能をもたらすと共にランプからの光出力を最大にする。
【００１２】
位置決め部材１６は、開口４２（図２）を含む。開口４２は、光源１４のフィラメント３０をリフレクタハウジング１２の反射部分１８の焦点と軸方向に、直径方向にまた垂直方向に整列させるように、位置決め部材１６内に配置される。位置決め部材は、好ましくは開口の両側に配置された２つの中央タブ４４と該中央タブから外側に間隔を置いて配置された４つの付加的なより小さいタブ４６とを含む。具体的には、２つの外側タブ４６は、中央タブ４４の両側で開口４２の１つの側辺上に設置される。２つの付加的なタブ４６は、他の中央タブ４４の両側で開口４２の対向する側辺上に第１の２つの外側タブの真向かいに設置される。図示した実施形態では、中央タブ４４は、位置決め部材１６（図３）から軸方向外向きに（下向きに）垂下し、また外側タブ４６は、位置決め部材から反対方向に（上向きに）軸方向外向きに突出する。開口４２は、光源１４のクリンプ端部３６を受ける。中央タブ４２は、光源が開口４２によって受けられると、ばね作用によって光源１４のクリンプ端部３６に係合する。外側タブ４６は、間隔をおいた状態で光源１４のバルブ３４を支持し、位置決め部材１６に対してバルブ３４を正確に設置する。このようにして、光源は、リフレクタハウジングの焦点に対して正確に位置決めされる。
【００１３】
アイレット５０は、ノーズ部２４の開口３２内に配置される。好ましい実施形態におけるアイレットは、７０／３０真鍮で作られるが、アイレットは、任意の他の適当な材料で作ることができる。アイレットは、管状部分５２及びフランジ状部分５４を含む。好ましい実施形態では、管状部分５２は、製造を容易にするように管状部分全体にわたってほぼ一定の厚さ及び均質な強度特性を有する。フランジ状部分５４は、例えば管状部分５２のロールオーバ部分である。アイレット５０は、ヒール部分２２の内側から開口３２内に受けられ、また各アイレットの管状部分５２のセグメントは、ノーズ部２４の外側面から或る距離だけ延び出る。フランジ状部分５２は、ノーズ部２４の内側面上に着座する。図１に最も良く示するように、フランジ状部分５４は、リフレクタハウジング内部からヒール部分を貫通しかつノーズ部のそれぞれの開口内にアイレットを挿入することによって開口３２の内側端部においてノーズ部２４の内側面と当接係合するような寸法にされる。別の実施形態では、フランジ状部分は、開口３２の内側端部における座ぐり領域又はショルダ部内に受けられることができる。開口３２内に挿入されると、ノーズ部２４の外側面から延び出るアイレットの管状部分５２を変形させ、すなわち半径方向ショルダ部すなわち据込み部分５６を形成するように据込んで、アイレット５０をノーズ部２４の外側面に機械的に固締する。据込み部分５６は、座ぐり領域３８に係合して、リード線をアイレット内に挿入する前及び後に該アイレットを安定して保持する。座ぐり領域内に位置する据込み部分５６は、ノーズ部２４の２つの垂直な軸線内にアイレットを整列させかつ開口３２内でのアイレットのいかなる動きも軸方向に制限する。言い換えれば、据込みした後のアイレットは３つの互いに垂直な軸線内で固定される。アイレットの据込み部分５６はまた、ノーズ部２４に係合するより大きい表面積を形成し、アイレット５０が熱サイクにより緩むようになるあらゆる可能性を少なくする。フランジ状部分５４はまた、必要に応じてアイレット５０をノーズ部２４に対してさらに機械的に固締するように変形させることができる。アイレットの変形によりアイレットを貫通して軸方向に延びる開口の内径が影響を受けないことが好ましい。
【００１４】
ランプ１０を組立てるためには、アイレット５０は、リフレクタハウジング１２内側からノーズ部２４の開口３２内に挿入される。アイレットは、フランジ状部分５４がランプ１０の反射部分１２に面するノーズ部２４内側面に載置されるように受けられる。アイレット５０の管状部分５２の一部分は、リフレクタハウジング１２の反射部分１８と反対側面にあるノーズ部２４の開口３２から外向きに突出する。アイレットフランジ状部分５４は、リフレクタハウジング１２のノーズ部２４に係合する。管状部分５２を変形させることで、ノーズ部２４の開口３２の側面に係合する据込み部分５６が形成される。
【００１５】
光源１４は、バルブ３４のクリンプ密閉領域３６を押圧して位置決め部材と緊密にバイアス係合状態にすることによって位置決め部材４２を貫通して挿入される。具体的には、光源のクリンプ領域３６は、位置決め部材４２の１つの側辺部から延びる外側タブ４６によってかつ他側辺部から延びる中央タブ４４によって支持されるのが適当でありかつ有利である。次に、光源１４及び位置決め部材４２を含むこの部分組立体は、リード線４０の各々がアイレット５０のそれぞれ一つを貫通して突出するように、リフレクタ１２内に挿入される。位置決め部材１６は、ハウジング１２のヒール部分２２のショルダ部２８上に載置される。位置決め部材１６は、張力を掛けた状態にされる必要はなく、位置決め部材及び光源の重量よりも大きい力が加えられることがない状態でショルダ部上に載置される。次に、アイレット５０は、リード線４０をアイレット５０内に機械的に固締するようにかしめられる。次に、アイレットは、該アイレット５０をリード線４０にさらに機械的に固締するようにろう付けされるのが好ましい。他の従来の方法を使用して、リード線をアイレットに取付けることもできる。このような方法により、光源１４はリフレクタ１２の焦点中心に対して適当に位置決めされる。
【００１６】
ノーズ部２４内に座ぐり３８を設けかつアイレットを変形させて／据込んで座ぐり３８と安定係合させることによって、一層小型の構成が得られる。据込みショルダ部５６は、組立体に張力を掛けずにアイレットをリフレクタハウジングに固定する。従って、アイレットをリード線４０に対してかしめかつろう付けすることで、組立て時にしっかりした結合が形成され、かつこの結合は、熱サイクルに関連する問題に耐える。
【００１７】
例示によって特定の実施形態に関してランプを説明してきたが、多くの改良及び変更を当業者は想到するであろう。従って、特許請求の範囲は、全てのそのような改良及び変更を特許請求の範囲の技術的範囲及び技術思想内に属するものとして保護しようとするものであることを理解されたい。
【図面の簡単な説明】
【００１８】
【図１】ランプの概略断面図。
【図２】図１のランプの位置決め部材の平面図。
【図３】図２の位置決め部材の側面図。
【符号の説明】
【００１９】
１０  ランプ
１２  リフレクタハウジング
１４  光源
１６  位置決め部材
１８  反射部分
２２  ヒール部分
２４  ノーズ部
２６  レンズカバー
２８  ショルダ部
３０  フィラメント
３２  開口
３４  バルブ
３６  クリンプ端部
３８  座ぐり
４０  リード線
５０  アイレット
５２  アイレットの管状部分
５４  アイレットのフランジ状部分
５６  据込み部分
【図１】
0004652026.tif 000002
【図２】
0004652026.tif 000003
【図３】
0004652026.tif 000004